(57)【要約】      （修正有）【課題】従来、日常的に活用されている合成樹脂製等の食品保存容器は、蓋体の周縁部と容器本体の開口部縁に密閉嵌着部を形成してあり、蓋体の摘み部を捲り上げての開放動作をするが、指に対してかなりの力が必要とされ、スムーズな開蓋作業が困難で、簡便開放には程遠く、お年寄りや幼児、ましてや日々調理に携わる家庭の主婦にとっては厄介であった。固く締められた蓋も、手が滑り外れたり、中身をこぼしたりする心配もなく、簡便に開蓋作業ができる食品保存容器を提供する。【解決手段】直方体型の食品保存容器を想定した場合において、容器本体の底面に関し、短辺縁の一方側に外方で張り出す形で押さえ片３を設け、その上部に来る蓋縁に摘み片４を設けたことを特徴とする固く閉まった蓋１が簡単に開けられる食品保存容器。【選択図】図１
2017051579.tif 000002
【特許請求の範囲】
【請求項１】
一般家庭でキッチン用品として広く利用され、容器本体と蓋とで構成され、密閉や嵌合の構造によって、蓋が容易に外せないような直方体型の食品保存容器を想定した場合に於いて、容器本体の底面に関して、短手辺の一方側に、容器本体の縁を外方にはみ出す小領域を設けて押さえ片を形成し、被さっている蓋の短手片の一方・即ち押さえ辺側に来る辺の両端角のそれぞれに、蓋縁を外方へはみ出す舌片状の小領域を設けて摘み片を形成し指先で押さえ片をしっかり押えて固定しながら、摘み片を摘んで捲り上げる形で簡便に開蓋作業ができることを特徴とする固く閉まった蓋が簡単に開けられる食品保存容器。
【発明の詳細な説明】
【技術分野】
【０００１】  この発明は、蓋の簡便開放に工夫を凝らした食品保存容器に関するものである。
【背景技術】
【０００２】  従来、合成樹脂製でなるこの種の食品保存容器は容器本体及び蓋体からなり、蓋体の周縁部と容器本体の開口部縁に密閉嵌着部を形成してあり、これを蓋体に設けられた摘み部を捲り上げる様に開放する方法が広く見られる。それらは、素材ポリエチレン製の蓋体が容器本体との密着性が強く、小さな摘みを指先で捲り上げるには、かなりの強い力が必要とされる。
【先行技術文献】
【特許文献】
【０００３】
【特許文献１】  特開２０１２−２４０６９９号公報
【特許文献２】  実登３０６９６０９号公報
【特許文献３】  特開平１０−２６４９５１号公報
【特許文献４】  特開２０１４−０００９８１号公報
【特許文献５】  特開２００３−０４０３００号公報
【発明の概要】
【発明が解決しようとする課題】
【０００４】  これは次のような欠点があった。
従来、日常的に活用されている食品保存容器は大小様々で、多くは合成樹脂製の食品保存容器で蓋体の周縁部と容器本体の開口部縁に密閉嵌着部を形成してあり、摘み部を捲り上げて蓋体を明ける時に、指先に対してかなりの強い力が必要とされ、結構てこずることが多い（特許文献１および２を参照）。
又その摘み部が上下に重なり合わないように摘み部を僅かにずらしてはあるが、摘み部が小さく、しかもずらし不足で接近しており、力が入らず簡便開放にはほど遠い（特許文献３及び４を参照）。
さらに蓋体にも容器本体にも摘み部が無く、滑り止めらしき突起部も無く、やや大きめの容器サイズの場合はひっくり返す危険性が高いものもある（特許文献５を参照）。
これらの容器は、お年寄りや幼児、ましてや日々調理に携わる家庭の主婦にとっては簡便さに欠け、安全性の観点からも改善の必要性があった。
又、容量が概ね１３００ｍｌで、辺の短い側面の（幅）掴み代（しろ）が概ね１３０ミリを超える容器では、女性のか弱い手の指の力では掴みにくく、滑りやすく、ましてや中身が入っている場合には、形はシンプルな容器でありながら、使いこなすには厄介な家庭用品であるとも言える。
例えば家庭の主婦が蓋の開放時、一方の手で容器本体を持ち、他方の手で蓋の摘み部を上方に捲り上げ開放しようとするが、サイズによっては、肝心な支えとなる本体容器を上手く掴む事が難しく、本体容器には何ら滑り止めらしきものも無く力が入りにくいし、支え保持しきれない。あるいは簡単に開放される筈の容器の蓋が少々の力では開けられない。中身の入っている本体をお腹と片腕で抱え、ともすれば、滑り落ちてしまいそうで、微妙な力調整がしにくい。バランスが取り難く容器を水平に保ちながらの開蓋操作が難しい。ましてや、早朝の弁当造りと朝食の為の調理中の指先に油気、汁物等が僅かながらでも付着しているのは当たりまえで、丁寧に洗いそして拭く他ない。そんな余裕も無くややもすれば時に汁もの等の漏らし、ひっくり返し、落下事故とこれほどにシンプルな容器で有りながら、不安定感と危険性がつきまとった。
本発明は以上のような問題点を解決するためになされたものである。
【課題を解決するための手段】
【０００５】  一般家庭でキッチン用品として広く利用され、容器本体と蓋とで構成され、密閉や嵌合の構造によって、蓋が容易には外せないような直方体型の食品保存容器を想定した場合において、容器本体の底面に関して、短手辺の一方側に、容器本体の縁を外方へはみ出す小領域を設けて押さえ片を形成し、被さっている蓋の短手辺の一方・即ち押さえ片側に来る辺の両端角のそれぞれに、蓋縁を外方へはみ出す舌片状の小領域を設けて摘み片を形成する。
以上を特徴とする固く閉まった蓋が簡単に開けられる食品保存容器である。
【発明の効果】
【０００６】  容器本体を固定支持しながら安定した蓋の開放作業を目的とする、押さえ片を設ける事により、従来の開蓋時の不安定感が解消され、同時に密着性の強い蓋の、捲り上げ時の指へのかなりの強い力が必要とされていた問題点が解消され、簡便な蓋の開放手段により安全性が向上した。
容器本体をわし掴みしながら、蓋の小さな摘み片を強い力で摘み引っ張り上げる際に、指先が滑り外れて容器ごとひっくり返したりする危険を防止する為に、本体容器を押さえ安定させながら、摘み片をしっかり保持して捲り上げるという一連の動作が簡便スムーズにできるようになった。
【図面の簡単な説明】
【０００７】
【図１】本発明の外観斜視図
【図２】本発明の使用において、指で押さえ片を押さえて蓋を開けた状態を示す斜視図
【図３】本発明の使用において、指で押さえ片の一端を押さえて蓋を開ける直前の使用状態を示す外観斜視図
【図４】本発明の使用において、指で押さえ片の他端を押さえて蓋を開ける直前の使用状態を示す外観斜視図
【図５】本発明の使用において、容器中央を掴み、蓋を開けようとする状態を示す平面図。
【図６】本発明において、蓋を開けた状態を側面から見た断面図
【図７】本発明の、正面図
【発明を実施するための形態】
【０００８】  以下、本発明を実施するための形態について説明する。
例えば、容器本体（２）が大きめで、握る事が不安定な滑り感のあるサイズの場合で、中身が液体であって、ひっくり返したら全部こぼれてしまう危険性のある場合でも、調理台、卓上等の平面上にて押さえ片（３）を指先で押え固定支持しながら蓋（１）の摘み片（４）を捲り上げれば、安定した開蓋作業がスムーズにできる。
容器本体（２）がやや小型で片手で握れるが、蓋（１）の摘み片（４）を強く捲り上げようとすると本体容器（２）を握った手の指先に滑り感と不安定感のあるような場合、図５の様に、容器本体（２）を握った手の親指と中指にとって押さえ片（３）が、滑り止めとなり更に支えともなり安定して開放作業ができる。この場合、手の大きさには個人差がある為、この開蓋方法では（握りきれない）不安感がある場合には、押さえ片（３）を指先でしっかり押え固定支持しながら、捲り上げ開蓋作業を選択する方がよい。
容器本体が小さな容器の場合、容器側面の握りに関して滑り感等、なんら不安がない場合、容器本体（２）を掴み、蓋（１）の摘み片（４）を捲り上げて開放するが、この場合でも押さえ片（３）は滑り止め及び支えとなる役目を果たす。
尚、食品保存容器は直方体型に限らず丸型等であっても、押さえ片は容器底部に、摘み片は蓋縁に設けられるという点において変わりはなく、共に同様の効果が得られる。
以下、押さえ片（３）の（押え所、摘み部、滑り止）使用について説明する。
▲１▼やや太めで容量が１３００ｍｌ前後の本体の握り代が女性には限界と思われる概ね１３０ミリ前後の容器で片手で握った指に滑り感があり不安定なサイズの場合、蓋（１）の捲り上げようとする左右いずれかの摘み片（４）を選択し、直下部の押さえ片（３）を指先にてしっかり押え、固定し捲り上げ開放する（図３、図４参照）。
この場合調理台、卓上等の安定した平面上にて垂直に固定支持しながら作業するのがベターである。
▲２▼やや小型の容量が８００ｍｌ前後で本体の握り代が概ね１１０ミリ前後で、片手で握れるが、蓋（１）を捲り上げようとすると容器本体を握った指先に滑り感と不安感のあるサイズの場合、図５の様に握った手の中指と親指にとって押さえ片（３）が滑り止めとなり更に支えともなる。
この開放手段でもやや不安定感のある場合は、▲１▼の開蓋手段の選択により、より安定した開蓋作業が可能となる。
▲３▼容器本体（２）が５００ｍｌ前後の容量の小さな容器の場合、容器の握りに関して滑り感他なんら危険性のない場合、容器本体（２）を掴み、普通に蓋体摘み部を捲り上げて開放する。又、当然の事ながら▲２▼の図５の方法を選択すれば、より安定した開蓋作業ができる。
【符号の説明】
【０００９】  １  蓋
２  容器本体
３  押さえ片
４  摘み片
【図１】
2017051579.tif 000003
【図２】
2017051579.tif 000004
【図３】
2017051579.tif 000005
【図４】
2017051579.tif 000006
【図５】
2017051579.tif 000007
【図６】
2017051579.tif 000008
【図７】
2017051579.tif 000009